(57)【要約】【課題】沸き上げ温度に生じるハンチングを防止可能な給湯装置を提供すること。【解決手段】給湯装置が、貯湯タンク（１０）と、沸き上げ回路（Ｃ１）と、追い焚き回路（Ｃ２）と、沸き上げ回路（Ｃ１）の沸き上げ熱交換器（２ａ）よりも上流の一部を構成すると共に追い焚き回路（Ｃ２）の追い焚き熱交換器（２０）よりも下流の一部を構成する共通配管部（Ｌ２）と、循環ポンプ（Ｐ１）と、切換部（Ｖ１，Ｖ２，Ｖ３）と、ヒートポンプユニット（２）と、入水温度センサ（Ｔ２１）と、制御装置（１００）と、を備える。制御装置（１００）が、追い焚き運転を行った後に沸き上げ運転を行う場合、この沸き上げ運転を行う前に、ヒートポンプユニット（２）を停止させた状態で貯湯タンク（１０）内の湯水を沸き上げ回路（Ｃ１）を介して循環させて、沸き上げ回路（Ｃ１）内の湯水を貯湯タンク（１０）内の湯水に置き換える沸き上げ準備運転を行う沸き上げ運転制御部（１００ａ）を有する。【選択図】図１
2018091521.tif 000002
【特許請求の範囲】
【請求項１】
貯湯タンク（１０）と、
上記貯湯タンクの下部から沸き上げ熱交換器（２ａ）を通って上記貯湯タンク（１０）の上部に接続された沸き上げ回路（Ｃ１）と、
上記貯湯タンク（１０）の上部から追い焚き熱交換器（２０）を通って上記貯湯タンク（１０）の下部に接続された追い焚き回路（Ｃ２）と、
上記沸き上げ回路（Ｃ１）の上記沸き上げ熱交換器（２ａ）よりも上流の一部を構成すると共に上記追い焚き回路（Ｃ２）の上記追い焚き熱交換器（２０）よりも下流の一部を構成する共通配管部（Ｌ２）と、
上記貯湯タンク（１０）内の湯水を上記沸き上げ回路（Ｃ１）または上記追い焚き回路（Ｃ２）を介して循環させる循環ポンプ（Ｐ１）と、
上記沸き上げ回路（Ｃ１）を介して上記貯湯タンク（１０）内の湯水を循環させるか、あるいは、上記追い焚き回路（Ｃ２）を介して上記貯湯タンク（１０）内の湯水を循環させるかを切り換える切換部（Ｖ１，Ｖ２，Ｖ３）と、
上記貯湯タンク（１０）内の湯水を上記沸き上げ熱交換器（２ａ）により沸き上げるヒートポンプユニット（２）と、
上記沸き上げ回路（Ｃ１）に配置され、上記沸き上げ熱交換器（２ａ）の入水温度を検出する入水温度センサ（Ｔ２１）と、
上記循環ポンプ（Ｐ１）、上記切換部（Ｖ１，Ｖ２，Ｖ３）、および、上記ヒートポンプユニット（２）を制御して、上記貯湯タンク（１０）内の湯水を上記共通配管部（Ｌ２）を含む上記追い焚き回路（Ｃ２）を介して循環させる追い焚き運転と、上記入水温度センサ（Ｔ２１）の温度が所定温度に達するまで上記貯湯タンク（１０）内の湯水を上記共通配管部（Ｌ２）を含む上記沸き上げ回路（Ｃ１）を介して循環させる沸き上げ運転とを行う制御装置（１００）と、
を備え、
上記制御装置（１００）が、
追い焚き運転を行った後に沸き上げ運転を行う場合、この沸き上げ運転を行う前に、上記ヒートポンプユニット（２）を停止させた状態で上記貯湯タンク（１０）内の湯水を上記沸き上げ回路（Ｃ１）を介して循環させて、上記沸き上げ回路（Ｃ１）内の湯水を上記貯湯タンク（１０）内の湯水に置き換える沸き上げ準備運転を行う沸き上げ運転制御部（１００ａ）を有する、給湯装置。
【請求項２】
請求項１に記載の給湯装置において、
上記沸き上げ運転制御部（１００ａ）が、上記沸き上げ準備運転の開始後、上記入水温度センサ（Ｔ２１）により検出された入水温度に基づいて、上記沸き上げ準備運転を終了させて上記沸き上げ運転を開始させるか否かを決定する、給湯装置。
【請求項３】
請求項１または２に記載の給湯装置において、
上記沸き上げ運転制御部（１００ａ）が、上記沸き上げ準備運転の開始後、上記入水温度センサ（Ｔ２１）により検出された入水温度が所定温度以上である場合に、上記沸き上げ準備運転を終了させて上記沸き上げ運転を開始させる、給湯装置。
【請求項４】
請求項１から３のいずれか１つに記載の給湯装置において、
上記貯湯タンク（１０）内の下部の湯水の温度である基準水温度を検出するタンク下部水温度センサ（Ｔ２４）を備え、
上記沸き上げ運転制御部（１００ａ）が、上記沸き上げ準備運転の開始後、上記基準水温度に所定温度を加えた温度以上の入水温度が検出された後、上記基準水温度以下の入水温度が検出された場合に、上記沸き上げ準備運転を終了させて上記沸き上げ運転を開始させる、給湯装置。
【請求項５】
請求項１から４のいずれか１つに記載の給湯装置において、
上記制御装置が、上記追い焚き運転の終了から上記追い焚き運転が行われることなく経過した時間を計測する追い焚き運転後時間計測部（１００ｂ）を有し、
上記沸き上げ運転制御部（１００ａ）が、上記追い焚き運転後時間計測部（１００ｂ）により計測された時間が所定時間以上である場合に、上記沸き上げ準備運転を行わずに上記沸き上げ運転を行う、給湯装置。
【請求項６】
請求項１から５のいずれか１つに記載の給湯装置において、
上記沸き上げ運転制御部（１００ａ）が、上記追い焚き運転の終了後に、上記沸き上げ回路（Ｃ１）の凍結を防止する凍結防止運転が行われた場合、上記沸き上げ準備運転を行わずに上記沸き上げ運転を行う、給湯装置。
【請求項７】
請求項１から６のいずれか１つに記載の給湯装置において、
上記制御装置（１００）が、上記沸き上げ準備運転の開始から経過した時間を計測する沸き上げ準備運転後時間計測部（１００ｃ）を有し、
上記沸き上げ運転制御部（１００ａ）が、上記沸き上げ準備運転の開始後、上記沸き上げ準備運転後時間計測部（１００ｃ）により計測された時間が所定時間に到達した場合に、上記沸き上げ準備運転を終了させて上記沸き上げ運転を開始させる、給湯装置。
【発明の詳細な説明】
【技術分野】
【０００１】
本発明は、給湯装置に関する。
【背景技術】
【０００２】
特許文献１には、貯湯タンクと、沸き上げ回路と、追い焚き回路と、ヒートポンプユニットと、沸き上げ循環ポンプと、ヒートポンプユニットおよび沸き上げ循環ポンプを制御する制御装置とを備えた給湯装置が開示されている。この給湯装置では、沸き上げ回路は、貯湯タンクの下部から沸き上げ熱交換部を介して貯湯タンクの上部に接続され、追い焚き回路は、貯湯タンクの上部から貯湯タンクの下部に接続されている。また、ヒートポンプユニットは、貯湯タンク内の湯水を沸き上げ熱交換部により沸き上げるように設けられ、沸き上げ循環ポンプは、沸き上げ回路に配置され貯湯タンク内の湯水を沸き上げ回路を介して循環させるように設けられている。
【０００３】
前記給湯装置では、沸き上げ回路の沸き上げ熱交換部の上流に配置され温度センサにより検出された沸き上げ熱交換部の入水温度が４０度〜４５度になるまで沸き上げ運転が行われる。
【先行技術文献】
【特許文献】
【０００４】
【特許文献１】特開２０１６−９５０８９号公報
【発明の概要】
【発明が解決しようとする課題】
【０００５】
前記給湯装置において、例えば、貯湯タンクの下部に、沸き上げ回路の一部を構成すると共に追い焚き回路の一部を構成する共通配管部を設け、追い焚き運転を行った後に沸き上げ運転を行うと、追い焚き運転により共通配管部に残った湯水が、貯湯タンク内の湯水よりも先に沸き上げ熱交換部に入水する。このとき、追い焚き回路を流れていた湯水が４０度〜４５度の範囲の温度であると、仮に、貯湯タンク内の下部の温度が４０度未満であったとしても沸き上げ運転が終了してしまい、沸き上げ温度にハンチングが生じる場合がある。
【０００６】
そこで、本発明は、沸き上げ温度に生じるハンチングを防止可能な給湯装置を提供することを課題とする。
【課題を解決するための手段】
【０００７】
上記課題を解決すべく、本発明の給湯装置は、
貯湯タンクと、
上記貯湯タンクの下部から沸き上げ熱交換部を通って上記貯湯タンクの上部に接続された沸き上げ回路と、
上記貯湯タンクの上部から追い焚き熱交換部を通って上記貯湯タンクの下部に接続された追い焚き回路と、
上記沸き上げ回路の上記沸き上げ熱交換部の上流の一部を構成すると共に上記追い焚き回路の上記追い焚き熱交換部の下流の一部を構成する共通配管部と、
上記貯湯タンク内の湯水を上記沸き上げ回路または上記追い焚き回路を介して循環させる循環ポンプと、
上記沸き上げ回路を介して上記貯湯タンク内の湯水を循環させるか、あるいは、上記追い焚き回路を介して上記貯湯タンク内の湯水を循環させるかを切り換える切換部と、
上記貯湯タンク内の湯水を上記沸き上げ熱交換部により沸き上げるヒートポンプユニットと、
上記沸き上げ回路に配置され、上記沸き上げ熱交換部の入水温度を検出する入水温度センサと、
上記循環ポンプ、上記切換部、および、上記ヒートポンプユニットを制御して  上記循環ポンプ、上記切換部、および、上記ヒートポンプユニットを制御して、上記貯湯タンク内の湯水を上記共通配管部を含む上記追い焚き回路を介して循環させる追い焚き運転と、上記入水温度センサの温度が所定温度に達するまで上記貯湯タンク内の湯水を上記沸き上げ熱交換部により沸き上げながら上記共通配管部を含む上記沸き上げ回路を介して循環させる沸き上げ運転とを行う制御装置と、を備え、
上記制御装置が、
追い焚き運転を行った後に沸き上げ運転を行う場合、この沸き上げ運転を行う前に、上記ヒートポンプユニットを停止させた状態で上記貯湯タンク内の湯水を上記沸き上げ回路を介して循環させて、上記沸き上げ回路内の湯水を上記貯湯タンク内の湯水に置き換える沸き上げ準備運転を行う沸き上げ運転制御部を有する。
【０００８】
上記構成によれば、追い焚き運転を行った後に沸き上げ運転を行う場合、この沸き上げ運転を行う前に、ヒートポンプユニットを停止させた状態で貯湯タンク内の湯水を沸き上げ回路を介して循環させて、沸き上げ回路内の湯水を貯湯タンク内の湯水に置き換える沸き上げ準備運転が行われる。これにより、沸き上げ運転開始後に、貯湯タンク内の湯水よりも先に沸き上げ熱交換部に入水する追い焚き運転により共通配管部に残った湯水を低減できる。その結果、貯湯タンク内の湯水が沸き上げられる前に沸き上げ運転が終了するのを回避して、沸き上げ温度に生じるハンチングを防止できる。
【０００９】
また、一実施形態の給湯装置では、
上記沸き上げ運転制御部が、上記沸き上げ準備運転の開始後、上記入水温度センサにより検出された入水温度に基づいて、上記沸き上げ準備運転を終了させて上記沸き上げ運転を開始させるか否かを決定する。
【００１０】
上記実施形態によれば、沸き上げ運転開始後に、追い焚き運転により共通配管部に残った湯水が貯湯タンク内の湯水よりも先に沸き上げ熱交換部に入水するのをより確実に防ぐことができる。
【００１１】
また、一実施形態の給湯装置では、
上記沸き上げ運転制御部が、上記沸き上げ準備運転の開始後、上記入水温度センサにより検出された入水温度が所定温度以上である場合に、上記沸き上げ準備運転を終了させて上記沸き上げ運転を開始させる。
【００１２】
上記実施形態によれば、沸き上げ運転開始後に、追い焚き運転により共通配管部に残った湯水が貯湯タンク内の湯水よりも先に沸き上げ熱交換部に入水するのをより確実に防ぐことができる。
【００１３】
また、一実施形態の給湯装置では、
上記貯湯タンク内の下部の湯水の温度である基準水温度を検出するタンク下部水温度センサを備え、
上記沸き上げ運転制御部（１００ａ）が、上記沸き上げ準備運転の開始後、上記基準水温度に所定温度を加えた温度以上の入水温度が検出された後、上記基準水温度以下の入水温度が検出された場合に、上記沸き上げ準備運転を終了させて上記沸き上げ運転を開始させる。
【００１４】
上記実施形態によれば、追い焚き運転により共通配管部に残った湯水が貯湯タンク内の湯水よりも先に沸き上げ熱交換部に入水するのをより確実に防ぐことができる。
【００１５】
また、一実施形態の給湯装置では、
上記制御装置が、上記追い焚き運転の終了から上記追い焚き運転が行われることなく経過した時間を計測する追い焚き運転後時間計測部を有し、
上記沸き上げ運転制御部が、上記追い焚き運転後時間計測部により計測された時間が所定時間以上である場合に、上記沸き上げ準備運転を行わずに上記沸き上げ運転を行う。
【００１６】
上記実施形態によれば、追い焚き運転の終了後、追い焚き運転により共通配管部に残った湯水の温度が所定温度未満にとなる所定時間が経過した場合、追い焚き運転により共通配管部に残った湯水が貯湯タンク内の湯水よりも先に沸き上げ熱交換部に入水したとしても、貯湯タンク内の湯水が沸き上げられる前に沸き上げ運転が終了することはないので、沸き上げ準備運転を行わない。これにより、沸き上げ運転の効率を向上させることができる。
【００１７】
また、一実施形態の給湯装置では、
上記沸き上げ運転制御部が、上記追い焚き運転の終了後に、上記沸き上げ回路の凍結を防止する凍結防止運転が行われた場合、上記沸き上げ準備運転を行わずに上記沸き上げ運転を行う。
【００１８】
上記実施形態によれば、凍結防止運転によって貯湯タンク内の湯水が沸き上げ回路を流れるため、沸き上げ運転時に、追い焚き運転により共通配管部に残った湯水が貯湯タンク内の湯水よりも先に沸き上げ熱交換部に入水することがないので、沸き上げ運転を行わない。これにより、沸き上げ運転の効率を向上させることができる。
【００１９】
また、一実施形態の給湯装置では、
上記制御装置が、上記沸き上げ準備運転の開始から経過した時間を計測する沸き上げ準備運転後時間計測部を有し、
上記沸き上げ運転制御部が、上記沸き上げ準備運転の開始後、上記沸き上げ準備運転後時間計測部により計測された時間が所定時間に到達した場合に、上記沸き上げ準備運転を終了させて上記沸き上げ運転を開始させる。
【００２０】
上記実施形態よれば、例えば、沸き上げ回路の配管の長さなどから、沸き上げ準備運転の開始後、沸き上げ回路内の湯水を貯湯タンク内の湯水に置き換えることができる所定時間を算出しておくことで、簡単な構成で、沸き上げ運転開始後に、追い焚き運転により共通配管部に残った湯水が貯湯タンク内の湯水よりも先に沸き上げ熱交換部に入水するのを防ぐことができる。
【発明の効果】
【００２１】
本発明によれば、沸き上げ温度に生じるハンチングを防止可能な給湯装置を実現できる。
【図面の簡単な説明】
【００２２】
【図１】本発明の第１実施形態の給湯装置の配管系統図。
【図２】図１の給湯装置の沸き上げ運転時の湯水の流れを説明するための配管系統図。
【図３】図１の給湯装置の湯張り運転時の湯水の流れを説明するための配管系統図。
【図４】図１の給湯装置の追い焚き運転時の湯水の流れを説明するための配管系統図。
【図５】図１の給湯装置の風呂冷却運転時の湯水の流れを説明するための配管系統図。
【図６】図１の給湯装置の給湯運転時の湯水の流れを説明するための配管系統図。
【図７】図１の給湯装置の沸き上げ準備運転の処理を説明するためのフローチャート。
【図８】本発明の第２実施形態の給湯装置の配管系統図。
【発明を実施するための形態】
【００２３】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００２４】
（第１実施形態）
図１は、本発明の第１実施形態の給湯装置の配管系統図を示している。
【００２５】
図１に示すように、この給湯装置は、貯湯タンク１０を有する貯湯ユニット１と、上記貯湯ユニット１の貯湯タンク１０内の水を沸き上げるためのヒートポンプユニット２とを備えている。この貯湯ユニット１には、沸き上げ回路Ｃ１（図２に示す）と、追い焚き回路Ｃ２（図４に示す）と、共通配管部の一例の配管Ｌ２と、循環ポンプの一例の沸き上げ循環ポンプＰ１と、切換部の一例のポンプ入水弁Ｖ１、バイパス弁Ｖ２、および、追い焚き三方弁Ｖ３とが設けられている。
【００２６】
＜沸き上げ回路Ｃ１＞
上記貯湯タンク１０の下部に配管Ｌ１の一端を接続し、配管Ｌ１の他端をポンプ入水弁Ｖ１の一方の入力側に接続している。また、ポンプ入水弁Ｖ１の出力側に配管Ｌ２の一端を接続し、配管Ｌ２の他端をバイパス弁Ｖ２の入力側に接続している。この配管Ｌ２に沸き上げ循環ポンプＰ１を配設している。また、バイパス弁Ｖ２の一方の出力側に配管Ｌ３を介してヒートポンプユニット２の沸き上げ熱交換部２ａの一端に接続している。
【００２７】
上記ヒートポンプユニット２の沸き上げ熱交換部２ａの他端を配管Ｌ４の一端に接続し、配管Ｌ４の他端を沸き上げ三方弁Ｖ３の入力側に接続している。また、バイパス弁Ｖ２の他方の出力側に配管Ｌ６の一端を接続し、配管Ｌ６の他端を配管Ｌ４の沸き上げ三方弁Ｖ３側に接続している。
【００２８】
また、上記沸き上げ三方弁Ｖ３の一方の出力側に配管Ｌ５の一端を接続し、配管Ｌ５の他端を貯湯タンク１０の上部に接続している。一方、沸き上げ三方弁Ｖ３の他方の出力側に配管Ｌ７の一端を接続し、配管Ｌ７の他端を貯湯タンク１０の下部に接続している。
【００２９】
上記配管Ｌ１〜Ｌ５とポンプ入水弁Ｖ１と沸き上げ循環ポンプＰ１とバイパス弁Ｖ２と沸き上げ三方弁Ｖ３で、貯湯タンク１０とヒートポンプユニット２との間の沸き上げ回路Ｃ１を構成している。
【００３０】
なお、図１では、ポンプ入水弁Ｖ１は、配管Ｌ２と配管Ｌ１１が連通した状態を示し、バイパス弁Ｖ２は、配管Ｌ２と配管Ｌ３が連通した状態を示し、沸き上げ三方弁Ｖ３は、配管Ｌ４と配管Ｌ７が連通した状態を示している。
【００３１】
この配管Ｌ１のポンプ入水弁Ｖ１よりも貯湯タンク１０側に排水用二方弁２７を配設している。通常、排水用二方弁２７は閉じており、メンテナンスなどにより貯湯タンク１０内の水を排水するとき、排水用二方弁２７を開いて、貯湯タンク１０の下部と排水口とを連通させる。
【００３２】
なお、貯湯タンク１０内の湯水は、上記沸き上げ循環ポンプＰ１により、配管Ｌ１,ポンプ入水弁Ｖ１,配管Ｌ２,バイパス弁Ｖ２,配管Ｌ３,ヒートポンプユニット２の沸き上げ熱交換部２ａ,配管Ｌ４,沸き上げ三方弁Ｖ３および配管Ｌ５(またはＬ７)を介して循環可能になっている。
【００３３】
＜風呂給湯回路＞
次に、上記貯湯タンク１０の下部に配管Ｌ１１を介して外部の給水口を接続している。この配管Ｌ１１に、ストレーナ１１と、給水管側から貯湯タンク１０側への流れのみを許容する逆止弁１２と、減圧弁Ｖ１０とを上流側から順に配設している。
【００３４】
また、上記貯湯タンク１０の上部に配管Ｌ２１の一端を接続し、配管Ｌ２１の他端を湯張り混合弁Ｖ４の一方の入力側に接続している。上記配管Ｌ２１の湯張り混合弁Ｖ４近傍に、貯湯タンク１０側から湯張り混合弁Ｖ４側への流れのみを許容する逆止弁２１を配設している。
【００３５】
上記湯張り混合弁Ｖ４の他方の入力側に、分岐配管Ｌ１２の一端を接続し、その分岐配管Ｌ１２の他端を、配管Ｌ１１の減圧弁Ｖ１０の上流側に接続している。この分岐配管Ｌ１２の湯張り混合弁Ｖ４近傍に、給水口側から湯張り混合弁Ｖ４への流れのみを許容する逆止弁２２を配設している。
【００３６】
また、上記湯張り混合弁Ｖ４の出力側に配管Ｌ２２の一端を接続し、配管Ｌ２２の他端を、浴槽３に設けられた接続アダプタ９の給湯口９ａに接続している。この配管Ｌ２２には、湯張り混合弁Ｖ４側から順に、湯張り電磁弁Ｖ６と、湯張り混合弁Ｖ４側から浴槽３への流れのみを許容する逆止弁５と、水量センサ６と、湯張り混合弁Ｖ４側から浴槽３への流れのみを許容する逆止弁７を配設している。
【００３７】
上記配管Ｌ２２の逆止弁５と水量センサ６との間に、排水弁Ｖ７が配設された排水配管Ｌ４２の一端を接続している。また、配管Ｌ２１の貯湯タンク１０近傍に、逃がし弁２８が配設された排水配管４１の一端を接続している。
【００３８】
上記湯張り電磁弁Ｖ６と逆止弁５と水量センサ６と逆止弁７で複合水弁３０を構成している。
【００３９】
上記配管Ｌ２１,湯張り混合弁Ｖ４,配管Ｌ２２,複合水弁３０で、貯湯タンク１０と浴槽３との間の風呂給湯回路を構成している。
【００４０】
＜風呂循環回路＞
上記接続アダプタ９の吸水口９ｂに配管Ｌ２４の一端を接続し、配管Ｌ２４の他端を追い焚き熱交換部２０の２次側の入力に接続している。上記配管Ｌ２４に風呂循環ポンプＰ２を配設している。また、配管Ｌ２２の複合水弁３０よりも下流側に分岐配管Ｌ２３の一端を接続し、分岐配管Ｌ２３の他端を追い焚き熱交換部２０の２次側の出力に接続している。
【００４１】
上記風呂循環ポンプＰ２により、浴槽３内の湯水を、配管Ｌ２４,追い焚き熱交換部２０(２次側),分岐配管Ｌ２３および配管Ｌ２２の一部を介して循環させる。
【００４２】
上記配管Ｌ２４,追い焚き熱交換部２０(２次側),分岐配管Ｌ２３,配管Ｌ２２および風呂循環ポンプＰ２で風呂循環回路を構成している。
【００４３】
上記湯張り電磁弁Ｖ６は、風呂循環回路を介して貯湯タンク１０内の温水を浴槽３内に流す経路を開閉する開閉弁である。
【００４４】
＜追い焚き回路Ｃ２＞
また、上記配管Ｌ２２の複合水弁３０よりも上流側に分岐配管Ｌ２５の一端を接続し、分岐配管Ｌ２５の他端を追い焚き熱交換部２０(１次側)の一端に接続している。上記追い焚き熱交換部２０(１次側)の他端に配管Ｌ２６の一端を接続し、配管Ｌ２６の他端をポンプ入水弁Ｖ１の一方の入力側に接続している。
【００４５】
上記配管Ｌ２１,湯張り混合弁Ｖ４,配管Ｌ２２の一部,分岐配管Ｌ２５,追い焚き熱交換部２０(１次側),配管Ｌ２６,ポンプ入水弁Ｖ１,配管Ｌ２,バイパス弁Ｖ２,配管Ｌ６,配管Ｌ４の一部,沸き上げ三方弁Ｖ３,配管Ｌ７および沸き上げ循環ポンプＰ１で追い焚き回路Ｃ２を構成している。
【００４６】
なお、配管Ｌ２は、図２および図４に示すように、沸き上げ回路Ｃ１の沸き上げ熱交換部２ａよりも上流の一部を構成すると共に追い焚き回路Ｃ２の追い焚き熱交換部２０よりも下流の一部を構成している。
【００４７】
＜給湯回路＞
また、上記貯湯タンク１０の上部に配管Ｌ３１の一端を接続し、配管Ｌ３１の他端を給湯混合弁Ｖ５の一方の入力側に接続している。上記配管Ｌ３１に、貯湯タンク１０側から給湯混合弁Ｖ５への流れのみを許容する逆止弁２３を配設している。
【００４８】
また、配管Ｌ１２の逆止弁２２近傍の給水口側に、分岐配管Ｌ１３の一端を接続し、分岐配管Ｌ１３の他端を給湯混合弁Ｖ５の他方の入力側に接続している。上記分岐配管Ｌ１３の給湯混合弁Ｖ５近傍に、給水口側から給湯混合弁Ｖ５への流れのみを許容する逆止弁２４を配設している。
【００４９】
上記給湯混合弁Ｖ５の出力側に配管Ｌ３２の一端を接続し、配管Ｌ３２の他端を給湯部２６(この実施形態では蛇口)に接続している。上記配管Ｌ３２に水量センサ２５を設けている。
【００５０】
上記配管Ｌ３１,給湯混合弁Ｖ５,配管Ｌ３２,配管Ｌ１１,配管Ｌ１２の一部,配管Ｌ１３で給湯回路を構成している。
【００５１】
＜温度センサ群＞
また、上記貯湯タンク１０には、下側から上側に向かって略等間隔に６つの温度センサＴ１〜Ｔ６を設けている。また、配管Ｌ１２と配管Ｌ１３の接続点近傍の上流側に、給水温度を検出する温度センサＴ１１を設けている。また、給湯部２６に接続された配管Ｌ３２には、水量センサ２５よりも下流側に給湯温度を検出する温度センサＴ１２を設けている。
【００５２】
また、浴槽３に接続された配管Ｌ２４には、浴槽３側の接続アダプタ９と風呂循環ポンプＰ２との間に、水位センサＬＳと、水流センサの一例としての水流スイッチＳＷと、温度センサＴ１３を接続アダプタ９側から順に設けている。
【００５３】
さらに、浴槽３に接続された配管Ｌ２２に分岐配管Ｌ２３が接続された接続点に、浴槽３に供給される湯温を検出する温度センサＴ１４を設けている。
【００５４】
また、上記ヒートポンプユニット２の沸き上げ熱交換部２ａへの往き水の入水温度を検出する入水温度センサＴ２１を配管Ｌ３に設けている。
【００５５】
さらに、上記ヒートポンプユニット２の沸き上げ熱交換部２ａからの戻り水の出湯温度を検出する出湯温度センサＴ２２を配管Ｌ４に設けている。
【００５６】
上記ヒートポンプユニット２は、外気温度を検出する外気温度センサＴ２３を有する。また、このヒートポンプユニット２は、冷媒として炭酸ガス(ＣＯ２)を用いており、出湯温度を例えば６５℃〜９０℃の範囲で制御することが可能である。
【００５７】
＜制御装置＞
また、上記貯湯ユニット１は、マイクロコンピュータと入出力回路などからなる制御装置１００を備えている。上記制御装置１００は、リモートコントローラ２００との間で送受信を行う。上記制御装置１００は、温度センサＴ１〜Ｔ６,Ｔ１１〜Ｔ１４と水位センサＬＳと水流スイッチＳＷと水量センサ６,２５と入水温度センサＴ２１と出湯温度センサＴ２２と外気温度センサＴ２３およびリモートコントローラ２００からの信号を受けて、ヒートポンプユニット２と沸き上げ循環ポンプＰ１と風呂循環ポンプＰ２とポンプ入水弁Ｖ１とバイパス弁Ｖ２と沸き上げ三方弁Ｖ３と湯張り混合弁Ｖ４と給湯混合弁Ｖ５と湯張り電磁弁Ｖ６などを制御して、沸き上げ運転、湯張り運転、追い焚き運転、風呂冷却運転、給湯運転、および、凍結防止運転を行う。
【００５８】
〔沸き上げ運転〕
上記構成の給湯装置において、ヒートポンプユニット２により貯湯タンク１０内の湯を沸き上げる「沸き上げ運転」は、沸き上げ回路Ｃ１を介して行われる。すなわち、「沸き上げ運転」を行う場合、図２に示すように、ポンプ入水弁Ｖ１を配管Ｌ１と配管Ｌ２を連通する位置に切り換え、バイパス弁Ｖ２を配管Ｌ２と配管Ｌ３が連通する位置に切り換える。さらに、沸き上げ三方弁Ｖ３を配管Ｌ４と配管Ｌ５が連通する位置に切り換える。
【００５９】
そうして、沸き上げ循環ポンプＰ１を運転して、貯湯タンク１０内の湯を、ヒートポンプユニット２の沸き上げ熱交換部２ａにより沸き上げながら、配管Ｌ１,ポンプ入水弁Ｖ１,配管Ｌ２,バイパス弁Ｖ２,配管Ｌ３,ヒートポンプユニット２の沸き上げ熱交換部２ａ,配管Ｌ４,沸き上げ三方弁Ｖ３および配管Ｌ５(またはＬ７)を介して循環させる。
【００６０】
上記制御装置１００は、沸き上げ運転時にヒートポンプユニット２の出湯温度が目標出湯温度ＴＳになるように、ヒートポンプユニット２を制御する。ここで、目標出湯温度ＴＳは、貯湯タンク１０から給湯される湯量などに基づいて制御装置１００で算出される。例えば、使用される湯量が多い場合、目標出湯温度ＴＳは例えば８５℃と高くなり、使用される湯量が少ない場合、目標出湯温度ＴＳは例えば６５℃と低くなる。
【００６１】
また、上記制御装置１００は、入水温度センサＴ２１により検出された沸き上げ熱交換部２ａの入水温度が例えば４５度（沸き終い温度）になると、ヒートポンプユニット２および沸き上げ循環ポンプＰ１を停止させ、沸き上げ運転を終了させる。
【００６２】
〔湯張り運転〕
上記貯湯タンク１０から風呂の浴槽３内に給湯する「湯張り運転」は、風呂給湯回路を介して行われる。すなわち「湯張り運転」を行う場合、図３に示すように、制御装置１００により湯張り電磁弁Ｖ６を開くと、貯湯タンク１０内の上部の高温の湯が、配管Ｌ２１,湯張り混合弁Ｖ４および配管Ｌ２２を介して浴槽３内に供給される。このとき、制御装置１００は、湯張り混合弁Ｖ４を制御して、目標設定温度に基づいて、貯湯タンク１０からの高温の湯と外部からの給水とを混合する。そして、水位センサＬＳにより検出された浴槽３内の水位が設定水位になると、湯張り電磁弁Ｖ６を閉じる。
【００６３】
なお、「風呂湯張り運転」において、ユーザーがリモートコントローラ２００を操作して、設定水位と設定温度を自動的に保つ風呂自動運転モードが選択されると、貯湯タンク１０から風呂の浴槽３内に給湯する「湯張り運転」を行った後、浴槽３内の湯面水位を設定水位に保つと共に湯温を設定温度に保つようにする「風呂監視運転」を行う。
【００６４】
〔追い焚き運転〕
風呂の浴槽３内の湯水を加熱して追い焚きする「追い焚き運転」は、追い焚き回路Ｃ２を介して行われる。すなわち、「追い焚き運転」を行う場合、図４に示すように、ポンプ入水弁Ｖ１を配管Ｌ２６と配管Ｌ２を連通する位置に切り換え、バイパス弁Ｖ２を配管Ｌ２と配管Ｌ６が連通する位置に切り換える。さらに、沸き上げ三方弁Ｖ３を配管Ｌ６と配管Ｌ７が連通する位置に切り換える。
【００６５】
そして、湯張り混合弁Ｖ４の開度を湯側に全開になるようにした状態で、沸き上げ循環ポンプＰ１を運転して、貯湯タンク１０内の上部の湯を、配管Ｌ２１,湯張り混合弁Ｖ４,配管Ｌ２２の一部,分岐配管Ｌ２５,追い焚き熱交換部２０(１次側),配管Ｌ２６,ポンプ入水弁Ｖ１,配管Ｌ２,配管Ｌ６,配管Ｌ４の一部および配管Ｌ７を介して循環させる。すなわち、追い焚き運転では、貯湯タンク１０内の湯水を、配管Ｌ２を含む追い焚き回路Ｃ２を介して循環させる。
【００６６】
このとき、風呂循環ポンプＰ２を運転して、浴槽３内の湯水を配管Ｌ２４,追い焚き熱交換部２０(２次側),配管Ｌ２３および配管Ｌ２２の一部を介して循環させることにより、追い焚き熱交換部２０で浴槽３側の湯水を加熱して追い焚きを行う。
【００６７】
〔風呂冷却運転〕
風呂の浴槽３内の湯水を冷却してぬるめにする「風呂冷却運転」は、追い焚き回路Ｃ２を介して行われる。すなわち、「風呂冷却運転」を行う場合、図５に示すように、ポンプ入水弁Ｖ１を配管Ｌ２６と配管Ｌ２を連通する位置に切り換え、バイパス弁Ｖ２を配管Ｌ２と配管Ｌ６が連通する位置に切り換える。さらに、沸き上げ三方弁Ｖ３を配管Ｌ６と配管Ｌ７が連通する位置に切り換える。
【００６８】
そして、湯張り混合弁Ｖ４の開度を水側に全開になるようにした状態で、沸き上げ循環ポンプＰ１を運転して、貯湯タンク１０内の下部の水を、配管Ｌ１１,配管Ｌ１２,湯張り混合弁Ｖ４,配管Ｌ２２の一部,分岐配管Ｌ２５,追い焚き熱交換部２０(１次側),配管Ｌ２６,ポンプ入水弁Ｖ１,配管Ｌ２,配管Ｌ６,配管Ｌ４の一部および配管Ｌ７を介して循環させる。このとき、風呂循環ポンプＰ２を運転して、浴槽３内の湯水を配管Ｌ２４,追い焚き熱交換部２０(２次側),配管Ｌ２３および配管Ｌ２２の一部を介して循環させることにより、追い焚き熱交換部２０で浴槽３側の湯水を冷却してぬるめにする。
【００６９】
なお、この「風呂冷却運転」では、ユーザーがリモートコントローラ２００を操作することにより、風呂設定温度を変更することなく、例えば湯温を−２℃下げて所定時間(この実施の形態では１０分間)保持した後、浴槽３側の湯水の温度を風呂設定温度に戻すようにしている。
【００７０】
〔給湯運転〕
また、給湯部２６から湯水を供給する「給湯運転」は、給湯回路を介して行われる。すなわち、「給湯運転」を行う場合は、図６に示すように、給湯部２６の蛇口を開くと、給水圧力により外部からの水が配管Ｌ１１を介して貯湯タンク１０の下部から貯湯タンク１０内に供給される。これにより、貯湯タンク１０内の上部から高温の湯が配管Ｌ３１を介して押し出される。
【００７１】
そして、貯湯タンク１０内の上部から高温の湯が、配管Ｌ３１を介して給湯混合弁Ｖ５の一方の入力側に供給されると共に、外部からの水が配管Ｌ１１の一部,配管Ｌ１２および配管Ｌ１３の一部を介して給湯混合弁Ｖ５の他方の入力側(水側)に供給される。
【００７２】
ここで、貯湯タンク１０内の上部の高温の湯と外部からの水とが給湯混合弁Ｖ５により混合された後、配管Ｌ３２を介して給湯部２６から出湯される。このとき、上記制御装置１００は、「給湯運転」において、温度センサＴ１２により検出された給湯温度が設定給湯温度になるように、給湯混合弁Ｖ５の湯と水の混合比を制御する。
【００７３】
〔凍結防止運転〕
上記貯湯タンク１０の下部の配管Ｌ１,Ｌ２の凍結を防止する「凍結防止運転」は、沸き上げ回路Ｃ１を介して行われる。すなわち、「凍結防止運転」を行う場合は、図２に示すように、ポンプ入水弁Ｖ１を配管Ｌ１と配管Ｌ２を連通する位置に切り換え、バイパス弁Ｖ２を配管Ｌ２と配管Ｌ３が連通する位置に切り換える。さらに、沸き上げ三方弁Ｖ３を配管Ｌ４と配管Ｌ５が連通する位置に切り換える。
【００７４】
そうして、沸き上げ循環ポンプＰ１を運転して、貯湯タンク１０内の湯水を、配管Ｌ１,ポンプ入水弁Ｖ１,配管Ｌ２,バイパス弁Ｖ２,配管Ｌ３,ヒートポンプユニット２の沸き上げ熱交換部２ａ,配管Ｌ４,沸き上げ三方弁Ｖ３および配管Ｌ７を介して循環させる(ヒートポンプユニット２は運転しない)。この凍結防止運転は、例えば、入水温度センサＴ２１により検出された入水温度が２℃まで下がれば凍結防止運転を開始し、入水温度が５℃になると終了する。
【００７５】
また、上記制御装置１００は、沸き上げ運転制御部１００ａと、追い焚き運転後時間計測部１００ｂと、沸き上げ準備運転後時間計測部１００ｃとを有する。なお、沸き上げ運転制御部１００ａ、追い焚き運転後時間計測部１００ｂ、および、沸き上げ準備運転後時間計測部１００ｃは、ＣＰＵが所定のプログラムを実行することにより実現される機能（ソフトウェア）である。
【００７６】
沸き上げ運転制御部１００ａは、追い焚き運転を行った後に沸き上げ運転を行う場合、この沸き上げ運転を行う前に、ヒートポンプユニット２を停止させた状態で貯湯タンク１０内の湯水を沸き上げ回路Ｃ１を介して循環させて、沸き上げ回路Ｃ１内の湯水を貯湯タンク１０内の湯水に置き換える沸き上げ準備運転を行う。
【００７７】
追い焚き運転後時間計測部１００ｂは、追い焚き運転の終了から追い焚き運転および風呂冷却運転が行われることなく経過した時間、および、風呂冷却運転の終了から追い焚き運転および風呂冷却運転が行われることなく経過した時間を計測する。
【００７８】
沸き上げ準備運転後時間計測部１００ｃは、沸き上げ準備運転の開始から沸き上げ準備運転が終了することなく経過した時間、沸き上げ運転の開始から沸き上げ運転が終了することなく経過した時間、および、凍結防止運転の開始から凍結防止運転が終了することなく経過した時間を計測する。
【００７９】
〔沸き上げ準備運転〕
「沸き上げ準備運転」は、沸き上げ回路Ｃ１を介して行われる。すなわち、「沸き上げ準備運転」を行う場合、ポンプ入水弁Ｖ１を配管Ｌ１と配管Ｌ２を連通する位置に切り換え、バイパス弁Ｖ２を配管Ｌ２と配管Ｌ３が連通する位置に切り換える。さらに、沸き上げ三方弁Ｖ３を配管Ｌ４と配管Ｌ５が連通する位置に切り換える（図２参照）。
【００８０】
そうして、ヒートポンプユニット２を停止させた状態で沸き上げ循環ポンプＰ１を運転して、貯湯タンク１０内の湯水を、配管Ｌ１,ポンプ入水弁Ｖ１,配管Ｌ２,バイパス弁Ｖ２,配管Ｌ３,ヒートポンプユニット２の沸き上げ熱交換部２ａ,配管Ｌ４,沸き上げ三方弁Ｖ３および配管Ｌ５(またはＬ７)を介して循環させる。
【００８１】
沸き上げ準備運転は、追い焚き後フラグがＯＮの場合に行われる。追い焚き後フラグは、次のいずれかの条件が成立した場合にＯＮに切り替わる。
・追い焚き運転が行われた場合。
・風呂冷却運転が行われた場合。
【００８２】
また、追い焚き後フラグがＯＮの場合において、次のいずれかの条件が成立した場合にＯＦＦに切り替わる。
・追い焚き運転および風呂冷却運転が行われていない時間が所定時間（例えば６０分）以上継続した場合。
・沸き上げ運転がその開始から所定時間（例えば５分）以上継続した場合。
・凍結防止運転がその開始から所定時間（例えば５分）以上継続した場合。
【００８３】
すなわち、沸き上げ運転制御部１００ａは、追い焚き運転または風呂冷却運転が行われたが、追い焚き運転後時間計測部１００ｂにより計測された追い焚き運転の終了から追い焚き運転および風呂冷却運転が行われることなく経過した時間が所定時間以上である場合、沸き上げ準備運転を行わずに、沸き上げ運転を行う。
【００８４】
また、沸き上げ運転制御部１００ａは、追い焚き運転または風呂冷却運転が行われたが、その後、凍結防止運転が所定時間以上に亘って行われた場合、沸き上げ準備運転を行わずに、沸き上げ運転を行う。
【００８５】
また、沸き上げ準備運転は、次のいずれかの条件が成立した場合に終了し、沸き上げ運転が開始される。
・沸き上げ準備運転がその開始から所定時間（例えば１２０秒）継続した場合（すなわち、沸き上げ準備運転後時間計測部（１００ｃ）により計測された時間が所定時間に到達した場合）
・入水温度センサＴ２１により所定温度（例えば４５度）以上の入水温度が検出された場合
【００８６】
なお、沸き上げ準備運転の終了条件における所定時間は、例えば、沸き上げ回路Ｃ１が設計上の最大長さ（例えば２５メートル）である場合に、沸き上げ回路Ｃ１内の湯水を貯湯タンク１０内の湯水に置き換えることができる時間である。
【００８７】
また、入水温度センサＴ２１により、沸き上げ準備運転の開始時に検出された温度よりも高い入水温度が検出され、その後、沸き上げ準備運転の開始時に検出された温度よりも低い入水温度が検出された場合を沸き上げ準備運転の終了条件の１つとしてもよい。
【００８８】
続いて、図７を参照して、給湯装置の沸き上げ準備運転の処理について説明する。なお、以下に説明する処理は、制御装置１００が所定のプログラムを実行することで実施される。
【００８９】
図７に示すように、ユーザーによるリモートコントローラ２００の操作などにより、沸き上げ運転の開始条件が成立すると（ステップＳ１）、沸き上げ運転制御部１００ａは、追い焚き後フラグがＯＮであるか否かを判定する（ステップＳ２）。
【００９０】
追い焚き後フラグがＯＮであると判定されると、沸き上げ運転制御部１００ａは、沸き上げ準備運転を開始し（ステップＳ３）、沸き上げ準備運転を終了させる条件が成立したか否かを判定する（ステップＳ４）。
【００９１】
沸き上げ準備運転を終了させると判定された場合、沸き上げ運転制御部１００ａは、沸き上げ準備運転を終了させ、沸き上げ運転を開始させて（ステップＳ５）、沸き上げ準備運転の処理を終了する。一方、沸き上げ準備運転を終了させないと判定された場合、沸き上げ運転制御部１００ａは、沸き上げ準備運転を終了させると判定されるまで、ステップＳ４を繰り返す。
【００９２】
また、ステップＳ２にて、追い焚き後フラグがＯＦＦであると判定された場合、沸き上げ運転制御部１００ａは、沸き上げ準備運転を行うことなく、沸き上げ運転を開始させて（ステップＳ５）、沸き上げ準備運転の処理を終了する。
【００９３】
このように、上記給湯装置では、追い焚き運転を行った後に沸き上げ運転を行う場合、この沸き上げ運転を行う前に、ヒートポンプユニット２を停止させた状態で貯湯タンク１０内の湯水を沸き上げ回路Ｃ１を介して循環させて、沸き上げ回路Ｃ１内の湯水を貯湯タンク１０内の湯水に置き換える沸き上げ準備運転が行われる。これにより、沸き上げ運転開始後に、貯湯タンク１０内の湯水よりも先にヒートポンプユニット２の沸き上げ熱交換部２ａに入水する追い焚き運転により共通配管部Ｌ２に残った湯水を低減できる。その結果、貯湯タンク１０内の湯水が沸き上げられる前に沸き上げ運転が終了するのを回避して、沸き上げ温度に生じるハンチングを防止できる。
【００９４】
また、沸き上げ運転制御部１００ａが、沸き上げ準備運転の開始後、入水温度センサＴ２１により検出された入水温度に基づいて、沸き上げ準備運転を終了させて沸き上げ運転を開始させるか否かを決定する。詳しくは、沸き上げ運転制御部１００ａが、沸き上げ準備運転の開始後、入水温度センサＴ２１により検出された入水温度が所定温度（例えば４５度）以上である場合に、沸き上げ準備運転を終了させて沸き上げ運転を開始させる。これにより、沸き上げ運転開始後に、追い焚き運転により共通配管部Ｌ２に残った湯水が貯湯タンク１０内の湯水よりも先にヒートポンプユニット２の沸き上げ熱交換部２ａに入水するのをより確実に防ぐことができる。
【００９５】
また、沸き上げ運転制御部１００ａは、追い焚き運転の終了後、追い焚き運転により共通配管部Ｌ２に残った湯水の温度が所定温度未満にとなる所定時間（例えば６０分）が経過した場合、追い焚き運転により共通配管部Ｌ２に残った湯水が貯湯タンク１０内の湯水よりも先にヒートポンプユニット２の沸き上げ熱交換部２ａに入水したとしても、貯湯タンク１０内の湯水が沸き上げられる前に沸き上げ運転が終了することがないので、沸き上げ準備運転を行わない。これにより、沸き上げ運転の効率を向上させることができる。
【００９６】
また、沸き上げ運転制御部１００ａは、追い焚き運転の終了後に、上記沸き上げ回路の凍結を防止する凍結防止運転が行われた場合、凍結防止運転によって貯湯タンク１０内の湯水が沸き上げ回路を流れるため、沸き上げ運転時に、追い焚き運転により共通配管部Ｌ２に残った湯水が貯湯タンク１０内の湯水よりも先に沸き上げ熱交換部に入水することがないので、沸き上げ運転を行わない。これにより、沸き上げ運転の効率を向上させることができる。
【００９７】
また、沸き上げ運転制御部１００ａは、例えば、沸き上げ回路Ｃ１の配管の長さなどから、沸き上げ準備運転の開始後、沸き上げ回路Ｃ１内の湯水を貯湯タンク１０内の湯水に置き換えることができる所定時間を算出しておくことで、簡単な構成で、沸き上げ運転開始後に、追い焚き運転により共通配管部Ｌ２に残った湯水が貯湯タンク１０内の湯水よりも先にヒートポンプユニット２の沸き上げ熱交換部２ａに入水するのを防ぐことができる。
【００９８】
なお、沸き上げ準備運転の開始条件および終了条件は、第１実施形態のものに限らず、給湯装置の設計などに応じて、任意に設定できる。例えば、追い焚き後フラグをＯＮからＯＦＦにしないように設定した場合、追い焚き運転後時間計測部１００ｂを省略できる。また、沸き上げ準備運転の開始から所定時間（例えば１２０秒）継続した場合を沸き上げ準備運転の終了条件としないように設定した場合、沸き上げ準備運転後時間計測部１００ｃを省略できる。
【００９９】
また、上記給湯装置で実行可能な運転は、沸き上げ運転、湯張り運転、追い焚き運転、風呂冷却運転、給湯運転、および、凍結防止運転に限らない。例えば、これらの運転とは異なる種類の運転を実行可能な運転に追加してもよいし、風呂冷却運転、および、凍結防止運転を実行可能な運転から排除してもよい。
【０１００】
また、上記実施形態では、沸き上げ運転制御部１００ａ、追い焚き運転後時間計測部１００ｂ、および、沸き上げ準備運転後時間計測部１００ｃをソフトウェアで構成したが、これに限らない。例えば、冷暖房ユニット用制御装置２２０の目標往き水温算出部２２１および熱量制御部２２２の少なくとも１つをハードウェアで構成してもよい。
【０１０１】
（第２実施形態）
本発明の第２実施形態の給湯装置は、図８に示すように、貯湯タンク１０内の下部の湯水の温度である基準水温度を検出するタンク下部水温度センサＴ２４を備え、沸き上げ運転制御部１００ａが、沸き上げ準備運転の開始後、基準水温度に第１所定温度を加えた上限温度以上の入水温度が検出された後、基準水温度に第２所定温度を加えた下限温度以下の入水温度が検出された場合に、沸き上げ準備運転を終了させて上記沸き上げ運転を開始させる点で、第１実施形態と異なっている。なお、第２実施形態では、第１実施形態と同一部分に同一参照番号を付して説明を省略し、第１実施形態と異なる点について説明する。
【０１０２】
タンク下部水温度センサＴ２４は、図８に示すように、沸き上げ回路Ｃ１の貯湯タンク１０の下部に接続された配管Ｌ１の貯湯タンク１０近傍に、貯湯タンク１０内の下部の湯水の温度である基準水温度を検出可能に配置されている。
【０１０３】
第２実施形態では、沸き上げ準備運転は、次のいずれかの条件が成立した場合に終了し、沸き上げ運転が開始される。
・沸き上げ準備運転がその開始から所定時間（例えば１２０秒）継続した場合。
・入水温度センサＴ２１により所定温度（例えば４５度）以上の入水温度が検出された場合。
・入水温度センサＴ２１により、基準水温度に所定温度（例えば５度）を加えた温度以上の入水温度が検出された後、基準水温度以下の入水温度が検出された場合。
【０１０４】
このように、沸き上げ準備運転の開始後、基準水温度に所定温度を加えた温度以上の入水温度が検出された後、基準水温度以下の入水温度が検出された場合に、沸き上げ準備運転を終了させて上記沸き上げ運転を開始させるように構成することで、追い焚き運転により共通配管部に残った湯水が貯湯タンク内の湯水よりも先に沸き上げ熱交換部に入水するのをより確実に防ぐことができる。
【０１０５】
なお、沸き上げ準備運転の終了条件は、「入水温度センサＴ２１により、基準水温度に所定温度（例えば５度）を加えた温度以上の入水温度が検出された後、基準水温度以下の入水温度が検出された場合」のみ設定してもよいし、他の２つのいずれかと組み合わせてもよい。
【０１０６】
また、上記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【０１０７】
１…貯湯ユニット
２…ヒートポンプユニット
２ａ…沸き上げ熱交換部
３…浴槽
５,７,１２,２１,２２,２３,２４…逆止弁
６,２５…水量センサ
９…接続アダプタ
９ａ…給湯口
９ｂ…吸水口
１０…貯湯タンク
１１…ストレーナ
２０…追い焚き熱交換部
２６…給湯部
２７…排水用二方弁
２８…逃がし弁
３０…複合水弁
１００…制御装置
１００ａ…沸き上げ運転制御部
１００ｂ…追い焚き運転後時間計測部
１００ｃ…沸き上げ準備運転後時間計測部
２００…リモートコントローラ
ＬＳ…水位センサ
Ｐ１…沸き上げ循環ポンプ
Ｐ２…風呂循環ポンプ
ＳＷ…水流スイッチ
Ｔ１〜Ｔ６,Ｔ１１〜Ｔ１４,…温度センサ
Ｔ２１…入湯温度センサ
Ｔ２２…出湯温度センサ
Ｔ２３…外気温度センサ
Ｔ２４…タンク下部水温度センサ
Ｖ１…ポンプ入水弁
Ｖ２…バイパス弁
Ｖ３…沸き上げ三方弁
Ｖ４…湯張り混合弁
Ｖ５…給湯混合弁
Ｖ６…湯張り電磁弁
Ｖ１０…減圧弁
Ｃ１…沸き上げ回路
Ｃ２…追い焚き回路
【図１】
2018091521.tif 000003
【図２】
2018091521.tif 000004
【図３】
2018091521.tif 000005
【図４】
2018091521.tif 000006
【図５】
2018091521.tif 000007
【図６】
2018091521.tif 000008
【図７】
2018091521.tif 000009
【図８】
2018091521.tif 000010